(57)【要約】【課題】  処理リソースを分散化することによるタイムベースメディアの印刷が可能なプリンタ及びネットワーク印刷システムを提供することを目的とする。【解決手段】  本発明によるネットワーク印刷システムは、プリンタ上の処理リソースとコンピュータシステムような付属のネットワーク装置上の処理リソースを共有化することにより、タイムベースメディアの印刷が可能である。受信したタイムベースメディアに基づき、印刷システムは、印刷された用紙あるいは他の印刷出力と共に、関連する電子出力を生成する。印刷出力と電子出力は、タイムベースメディアの表示を提供する。プリンタは、所望の用途に応じて、メディアデータの受信、印刷出力の印刷及び電子出力の生成のための各機構の任意の組み合わせを有するようにしてもよい。【選択図】      図１
2005104155.tif 000002
【特許請求の範囲】
【請求項１】
タイムベースメディアを印刷するプリンタであって、
外部ソースからタイムベースメディアを受信するためのインタフェースと、
前記インタフェースに接続され、前記タイムベースメディアの印刷表示と電子表示を決定するメディア処理システムと、
前記メディア処理システムと通信して前記印刷表示を受信し、該受信した印刷表示から対応する印刷出力を生成する印刷出力システムと、
前記メディア処理システムと通信して前記電子表示を受信し、該受信した電子表示から対応する電子出力を生成する電子出力システムとからなることを特徴とするプリンタ。
【請求項２】
請求項１記載のプリンタであって、前記インタフェースは、該プリンタに前記タイムベースメディアを提供する電子装置に該プリンタを通信可能に接続することを可能にする単一の通信インタフェースであることを特徴とするプリンタ。
【請求項３】
請求項１記載のプリンタであって、前記インタフェースは、着脱可能なメディア記憶装置読取器を備えることを特徴とするプリンタ。
【請求項４】
請求項１記載のプリンタであって、前記インタフェースは、ＤＶＤ読取器、ビデオカセットテープ読取器及びフラッシュカード読取器の少なくとも１からなる映像入力装置を備えることを特徴とするプリンタ。
【請求項５】
請求項１記載のプリンタであって、前記インタフェースは、ＣＤ読取器、オーディオカセットテープ読取器及びフラッシュカード読取器の少なくとも１からなる音声入力装置を備えることを特徴とするプリンタ。
【請求項６】
請求項１記載のプリンタであって、前記外部ソースはメディア配信装置であり、前記インタフェースは前記メディア配信装置へのチューニングが可能なメディア配信受信機を備えることを特徴とするプリンタ。
【請求項７】
請求項１記載のプリンタであって、前記インタフェースは、埋め込みテレビ受信機、埋め込みラジオ受信機、埋め込み短波ラジオ受信機、埋め込み衛星無線受信機、埋め込み双方向無線装置及び埋め込み携帯電話の少なくとも１からなる埋め込み受信機を備えることを特徴とするプリンタ。
【請求項８】
請求項１記載のプリンタであって、前記インタフェースは、埋め込み温度センサ、埋め込み湿度センサ、埋め込み気象警報無線受信機及び埋め込みテレビ緊急放送システム警報モニタの少なくとも１からなる埋め込み装置を備えることを特徴とするプリンタ。
【請求項９】
請求項１記載のプリンタであって、前記インタフェースは、埋め込み画面キャプチャハードウェアを備えることを特徴とするプリンタ。
【請求項１０】
請求項１記載のプリンタであって、前記インタフェースは、超音波ペンキャプチャ装置を備えることを特徴とするプリンタ。
【請求項１１】
請求項１記載のプリンタであって、前記インタフェースは埋め込みビデオレコーダを備え、前記外部ソースは前記埋め込みビデオレコーダによりキャプチャされ、電子フォーマットに変換され、前記メディア処理システムに提供された画像系列であることを特徴とするプリンタ。
【請求項１２】
請求項１記載のプリンタであって、前記インタフェースは埋め込みオーディオレコーダを備え、前記外部ソースは前記埋め込みオーディオレコーダにより電子フォーマットに変換され、前記メディア処理システムに提供された音声系列であることを特徴とするプリンタ。
【請求項１３】
請求項１記載のプリンタであって、前記電子出力システムは、前記電子表示を着脱可能な記憶装置に書き込むよう構成されることを特徴とするプリンタ。
【請求項１４】
請求項１３記載のプリンタであって、前記着脱可能な記憶装置は、ＤＶＤ、ビデオカセットテープ、ＣＤ、オーディオカセットテープ、フラッシュカード、コンピュータディスク、ＳＤディスク及びコンピュータ読み出し可能な媒体の少なくとも１からなることを特徴とするプリンタ。
【請求項１５】
請求項１記載のプリンタであって、前記電子出力システムは、複数の着脱可能な記憶装置を収容するハンドリング機構を備えることを特徴とするプリンタ。
【請求項１６】
請求項１５記載のプリンタであって、前記ハンドリング機構は、フィーダ、バンドライア及びトレイの少なくとも１からなることを特徴とするプリンタ。
【請求項１７】
請求項１記載のプリンタであって、前記電子出力システムは、使い捨て可能なメディアライタを備えることを特徴とするプリンタ。
【請求項１８】
請求項１記載のプリンタであって、前記電子出力システムは、自壊式メディアライタを備えることを特徴とするプリンタ。
【請求項１９】
請求項１記載のプリンタであって、前記電子出力システムは、スピーカーシステムに接続され、音声信号を前記スピーカーシステムに送信することを特徴とするプリンタ。
【請求項２０】
請求項１９記載のプリンタであって、前記電子出力システムは、前記音声信号を生成する埋め込み音声プレーヤーを備えることを特徴とするプリンタ。
【請求項２１】
請求項１記載のプリンタであって、前記電子出力システムは、埋め込みウェブページディスプレイを備えることを特徴とするプリンタ。
【請求項２２】
請求項１記載のプリンタであって、前記メディア処理システムは、埋め込みマルチメディアサーバを備えることを特徴とするプリンタ。
【請求項２３】
請求項１記載のプリンタであって、前記メディア処理システムは、埋め込み音声暗号化モジュールを備えることを特徴とするプリンタ。
【請求項２４】
請求項１記載のプリンタであって、前記メディア処理システムは、埋め込み映像暗号化モジュールを備えることを特徴とするプリンタ。
【請求項２５】
請求項１記載のプリンタであって、前記メディア処理システムは、埋め込み音源特定モジュールを備えることを特徴とするプリンタ。
【請求項２６】
請求項１記載のプリンタであって、前記メディア処理システムは、埋め込み映像動き検出モジュールを備えることを特徴とするプリンタ。
【請求項２７】
請求項１記載のプリンタであって、さらに、
前記メディア処理システムに接続され、前記タイムベースメディアの印刷表示と電子表示の少なくとも１つに関する情報をユーザに提供し、さらに、前記メディア処理システムに前記印刷表示と電子表示の少なくとも１つを修正させる入力を前記ユーザから受け付けるユーザインタフェースを備えることを特徴とするプリンタ。
【請求項２８】
請求項２７記載のプリンタであって、前記ユーザインタフェースは、該プリンタに接続されたコンピュータシステムを介しユーザと通信することを特徴とするプリンタ。
【請求項２９】
請求項１記載のプリンタであって、前記メディア処理システムは、外部計算装置からの支援により前記印刷表示と前記電子表示の少なくとも１つを決定することを特徴とするプリンタ。
【請求項３０】
タイムベースメディアを受信するための入力ソースと、
前記入力ソースに接続され、前記タイムベースメディアの印刷表示を生成する第１出力ソースと、
前記入力ソースに接続され、前記タイムベースメディアの印刷表示に対応する前記タイムベースメディアの電子表示を生成する第２出力ソースとを備えることを特徴とする多機能プリンタ。
【請求項３１】
請求項３１記載の多機能プリンタであって、前記入力ソースは、該多機能プリンタに前記タイムベースメディアを提供する電子装置に該多機能プリンタが通信可能に接続されるのを可能にする単一の通信インタフェースを備えることを特徴とするプリンタ。
【請求項３２】
請求項３０記載の多機能プリンタであって、前記入力ソースは、着脱可能なメディア記憶装置読取器であることを特徴とするプリンタ。
【請求項３３】
請求項３０記載の多機能プリンタであって、前記入力ソースは、ＤＶＤ読取器、ビデオカセットテープ読取器及びフラッシュカード読取器の少なくとも１からなる映像入力装置を備えることを特徴とするプリンタ。
【請求項３４】
請求項３０記載の多機能プリンタであって、前記入力ソースは、ＣＤ読取器、オーディオカセットテープ読取器及びフラッシュカード読取器の少なくとも１からなる音声入力装置を備えることを特徴とするプリンタ。
【請求項３５】
請求項３０記載の多機能プリンタであって、前記入力ソースは、メディア配信へのチューニングが可能なメディア配信受信機を備えることを特徴とするプリンタ。
【請求項３６】
請求項３０記載の多機能プリンタであって、前記入力ソースは、埋め込みテレビ受信機、埋め込みラジオ受信機、埋め込み短波ラジオ受信機、埋め込み衛星無線受信機、埋め込み双方向無線装置及び埋め込み携帯電話の少なくとも１からなる埋め込み受信機を備えることを特徴とするプリンタ。
【請求項３７】
請求項３０記載の多機能プリンタであって、前記入力ソースは、埋め込み温度センサ、埋め込み湿度センサ、埋め込み気象警報無線受信機及び埋め込みテレビ緊急放送システム警報モニタの少なくとも１からなる埋め込み装置を備えることを特徴とするプリンタ。
【請求項３８】
請求項３０記載の多機能プリンタであって、前記入力ソースは、埋め込み画面キャプチャハードウェアを備えることを特徴とするプリンタ。
【請求項３９】
請求項３０記載の多機能プリンタであって、前記入力ソースは、超音波ペンキャプチャ装置を備えることを特徴とするプリンタ。
【請求項４０】
請求項３０記載の多機能プリンタであって、前記入力ソースは埋め込みビデオレコーダを備え、前記外部ソースは前記埋め込みビデオレコーダによりキャプチャされ、電子フォーマットに変換され、前記メディア処理システムに提供された画像系列であることを特徴とするプリンタ。
【請求項４１】
請求項３０記載の多機能プリンタであって、前記入力ソースは埋め込みオーディオレコーダを備え、前記外部ソースは前記埋め込みオーディオレコーダにより電子フォーマットに変換され、前記メディア処理システムに提供された音声系列であることを特徴とするプリンタ。
【請求項４２】
請求項３０記載の多機能プリンタであって、前記第２出力ソースは、前記電子表示を着脱可能な記憶装置に書き込むよう構成されることを特徴とするプリンタ。
【請求項４３】
請求項４２記載の多機能プリンタであって、前記着脱可能な記憶装置は、ＤＶＤ、ビデオカセットテープ、ＣＤ、オーディオカセットテープ、フラッシュカード、コンピュータディスク、ＳＤディスク及びコンピュータ読み出し可能な媒体の少なくとも１からなることを特徴とするプリンタ。
【請求項４４】
請求項３０記載の多機能プリンタであって、前記第２出力ソースは、複数の着脱可能な記憶装置を収容するハンドリング機構を備えることを特徴とするプリンタ。
【請求項４５】
請求項４４記載の多機能プリンタであって、前記ハンドリング機構は、フィーダ、バンドライア及びトレイの少なくとも１からなることを特徴とするプリンタ。
【請求項４６】
請求項３０記載の多機能プリンタであって、前記第２出力ソースは、使い捨て可能なメディアライタを備えることを特徴とするプリンタ。
【請求項４７】
請求項３０記載の多機能プリンタであって、前記第２出力ソースは、自壊式メディアライタを備えることを特徴とするプリンタ。
【請求項４８】
請求項３０記載の多機能プリンタであって、前記第２出力ソースは、スピーカーシステムに接続され、音声信号を前記スピーカーシステムに送信することを特徴とするプリンタ。
【請求項４９】
請求項４８記載の多機能プリンタであって、前記第２出力ソースは、前記音声信号を生成する埋め込み音声プレーヤーを備えることを特徴とするプリンタ。
【請求項５０】
請求項３０記載の多機能プリンタであって、前記第２出力ソースは、埋め込みウェブページディスプレイを備えることを特徴とするプリンタ。
【請求項５１】
タイムベースメディアの印刷方法であって、
外部ソースからタイムベースメディアを受信するステップと、
前記タイムベースメディアの印刷表示と電子表示を決定するため、前記タイムベースメディアを印刷システム内において少なくとも部分的に処理するステップと、
前記印刷表示に対応する印刷出力を生成するステップと、
前記電子表示に対応する電子出力を生成するステップとからなることを特徴とする方法。
【請求項５２】
請求項５１記載の印刷方法であって、前記タイムベースメディアは、単一の通信インタフェースを介して受信されることを特徴とする方法。
【請求項５３】
請求項５１記載の印刷方法であって、前記タイムベースメディアは、前記印刷システムの着脱可能なメディア記憶装置読取器から受信することを特徴とする方法。
【請求項５４】
請求項５１記載の印刷方法であって、前記タイムベースメディアは、ＤＶＤ読取器、ビデオカセットテープ読取器及びフラッシュカード読取器の少なくとも１からなる前記印刷システムの映像入力装置から受信されることを特徴とする方法。
【請求項５５】
請求項５１記載の印刷方法であって、前記タイムベースメディアは、ＣＤ読取器、オーディオカセットテープ読取器及びフラッシュカード読取器の少なくとも１からなる前記印刷システムの音声入力装置から受信されることを特徴とする方法。
【請求項５６】
請求項５１記載の印刷方法であって、前記タイムベースメディアは、メディア配信へのチューニングが可能な前記印刷システムのメディア配信受信機から受信されることを特徴とする方法。
【請求項５７】
請求項５１記載の印刷方法であって、前記タイムベースメディアは、埋め込みテレビ受信機、埋め込みラジオ受信機、埋め込み短波ラジオ受信機、埋め込み衛星無線受信機、埋め込み双方向無線装置及び埋め込み携帯電話の少なくとも１からなる埋め込み受信機から受信されることを特徴とする方法。
【請求項５８】
請求項５１記載の印刷方法であって、前記タイムベースメディアは、埋め込み温度センサ、埋め込み湿度センサ、埋め込み気象警報無線受信機及び埋め込みテレビ緊急放送システム警報モニタの少なくとも１からなる埋め込み装置から受信されることを特徴とする方法。
【請求項５９】
請求項５１記載の印刷方法であって、前記タイムベースメディアは、埋め込み画面キャプチャハードウェアから受信されることを特徴とする方法。
【請求項６０】
請求項５１記載の印刷方法であって、前記タイムベースメディアは、超音波ペンキャプチャ装置から受信されることを特徴とする方法。
【請求項６１】
請求項５１記載の印刷方法であって、前記タイムベースメディアは埋め込みビデオレコーダから受信され、前記外部ソースは前記埋め込みビデオレコーダによりキャプチャされ、電子フォーマットに変換され、前記タイムベースメディア処理ステップに提供される画像系列であることを特徴とする方法。
【請求項６２】
請求項５１記載の印刷方法であって、前記タイムベースメディアは埋め込みオーディオレコーダから受信され、前記外部ソースは前記埋め込みオーディオレコーダにより電子フォーマットに変換され、前記タイムベースメディア処理ステップに提供される音声系列であることを特徴とする方法。
【請求項６３】
請求項５１記載の印刷方法であって、前記電子出力生成ステップは、前記電子表示を着脱可能な記憶装置に書き込むことからなることを特徴とする方法。
【請求項６４】
請求項６３記載の印刷方法であって、前記着脱可能な記憶装置は、ＤＶＤ、ビデオカセットテープ、ＣＤ、オーディオカセットテープ、フラッシュカード、コンピュータディスク、ＳＤディスク及びコンピュータ読み出し可能な媒体の少なくとも１からなることを特徴とする方法。
【請求項６５】
請求項５１記載の印刷方法であって、前記電子出力は、使い捨て可能なメディアライタにより生成されることを特徴とする方法。
【請求項６６】
請求項５１記載の印刷方法であって、前記電子出力は、自壊式のメディアライタにより生成されることを特徴とする方法。
【請求項６７】
請求項５１記載の印刷方法であって、前記電子出力生成ステップは、スピーカーシステムによる再生のための音声信号を生成することからなることを特徴とする方法。
【請求項６８】
請求項５１記載の印刷方法であって、前記電子出力生成ステップは、表示システムによる再生のための映像信号を生成することからなることを特徴とする方法。
【請求項６９】
タイムベースメディアを印刷するシステムであって、
外部ソースからタイムベースメディアを受信するためのインタフェースと、
印刷システムとネットワーク装置を有するネットワークと、
前記タイムベースメディアを受信するため前記インタフェースに接続され、前記タイムベースメディアの印刷表示と電子表示を決定するメディア処理システムと、
前記メディア処理システムと通信して前記印刷表示を受信し、該受信した印刷表示から対応する印刷出力を生成する印刷出力システムと、
前記メディア処理システムと通信して前記電子表示を受信し、該受信した電子表示から対応する電子出力を生成する電子出力システムとを備え、前記メディア処理システムは、前記印刷システム上に少なくとも一部、前記ネットワーク装置上に少なくとも一部が配置されることを特徴とするシステム。
【請求項７０】
請求項６９記載のシステムであって、前記ネットワーク装置は、パーソナルコンピュータであることを特徴とするシステム。
【請求項７１】
請求項６９記載のシステムであって、前記ネットワークは、ローカルエリアネットワークであることを特徴とするシステム。
【請求項７２】
請求項６９記載のシステムであって、さらに、
前記ネットワークに接続し、前記メディア処理システムと通信して前記タイムベースメディアに対する少なくとも一部の処理を実行する遠隔的な外部サービスシステムを備えることを特徴とするシステム。
【請求項７３】
請求項７２記載のシステムであって、前記外部サービスシステムはインターネットを介し前記ネットワークに接続されることを特徴とするシステム。
【請求項７４】
請求項６９記載のシステムであって、前記インタフェースは、該システムに前記タイムベースメディアを提供する電子装置に該システムを通信可能に接続することを可能にする単一の通信インタフェースであることを特徴とするシステム。
【請求項７５】
請求項６９記載のシステムであって、前記インタフェースは、着脱可能なメディア記憶装置読取器を備えることを特徴とするシステム。
【請求項７６】
請求項６９記載のシステムであって、前記インタフェースは、ＤＶＤ読取器、ビデオカセットテープ読取器、ＣＤ読取器、オーディオカセットテープ読取器及びフラッシュカード読取器の少なくとも１からなるメディア入力装置を備えることを特徴とするシステム。
【請求項７７】
請求項６９記載のシステムであって、前記外部ソースはメディア配信装置であり、前記インタフェースは前記メディア配信装置へのチューニングが可能なメディア配信受信機を備えることを特徴とするシステム。
【請求項７８】
請求項６９記載のシステムであって、前記インタフェースは、埋め込みテレビ受信機、埋め込みラジオ受信機、埋め込み短波ラジオ受信機、埋め込み衛星無線受信機、埋め込み双方向無線装置及び埋め込み携帯電話の少なくとも１からなる埋め込み受信機を備えることを特徴とするシステム。
【請求項７９】
請求項６９記載のシステムであって、前記インタフェースは、埋め込み温度センサ、埋め込み湿度センサ、埋め込み気象警報無線受信機及び埋め込みテレビ緊急放送システム警報モニタの少なくとも１からなる埋め込み装置を備えることを特徴とするシステム。
【請求項８０】
請求項６９記載のシステムであって、前記インタフェースは、埋め込み画面キャプチャハードウェアを備えることを特徴とするシステム。
【請求項８１】
請求項６９記載のシステムであって、前記インタフェースは、超音波ペンキャプチャ装置を備えることを特徴とするシステム。
【請求項８２】
請求項６９記載のシステムであって、前記インタフェースは埋め込みビデオレコーダを備え、前記外部ソースは前記埋め込みビデオレコーダによりキャプチャされ、電子フォーマットに変換され、前記メディア処理システムに提供される画像系列であることを特徴とするシステム。
【請求項８３】
請求項６９記載のシステムであって、前記インタフェースは埋め込みオーディオレコーダを備え、前記外部ソースは前記埋め込みオーディオレコーダにより電子フォーマットに変換され、前記メディア処理システムに提供される音声系列であることを特徴とするシステム。
【請求項８４】
請求項６９記載のシステムであって、前記電子出力システムは、前記電子表示を着脱可能な記憶装置に書き込むよう構成されることを特徴とするシステム。
【請求項８５】
請求項８４記載のシステムであって、前記着脱可能な記憶装置は、ＤＶＤ、ビデオカセットテープ、ＣＤ、オーディオカセットテープ、フラッシュカード、コンピュータディスク、ＳＤディスク及びコンピュータ読み出し可能な媒体の少なくとも１からなることを特徴とするシステム。
【請求項８６】
請求項６９記載のシステムであって、前記電子出力システムは、複数の着脱可能な記憶装置を収容するハンドリング機構を備えることを特徴とするシステム。
【請求項８７】
請求項８６記載のシステムであって、前記ハンドリング機構は、フィーダ、バンドライア及びトレイの少なくとも１からなることを特徴とするシステム。
【請求項８８】
請求項６９記載のシステムであって、前記電子出力システムは、使い捨て可能なメディアライタ及び自壊式メディアライタの少なくとも１つからなるメディアライタを備えることを特徴とするシステム。
【請求項８９】
請求項６９記載のシステムであって、前記電子出力システムは、スピーカーシステムに接続され、音声信号を前記スピーカーシステムに送信することを特徴とするシステム。
【請求項９０】
請求項８９記載のシステムであって、前記電子出力システムは、前記音声信号を生成する埋め込み音声プレーヤーを備えることを特徴とするシステム。
【請求項９１】
請求項６９記載のシステムであって、前記電子出力システムは、埋め込みウェブページディスプレイを備えることを特徴とするシステム。
【請求項９２】
請求項６９記載のシステムであって、前記メディア処理システムは、埋め込みマルチメディアサーバを備えることを特徴とするシステム。
【請求項９３】
請求項６９記載のシステムであって、前記メディア処理システムは、埋め込み音声暗号化モジュールを備えることを特徴とするシステム。
【請求項９４】
請求項６９記載のシステムであって、前記メディア処理システムは、埋め込み映像暗号化モジュールを備えることを特徴とするシステム。
【請求項９５】
請求項６９記載のシステムであって、前記メディア処理システムは、埋め込み音源特定モジュールを備えることを特徴とするシステム。
【請求項９６】
請求項６９記載のシステムであって、前記メディア処理システムは、埋め込み映像動き検出モジュールを備えることを特徴とするシステム。
【請求項９７】
請求項６９記載のシステムであって、前記ネットワーク装置は、前記タイムベースメディアの印刷表示と電子表示の少なくとも１つに関する情報をユーザに提供し、さらに、前記メディア処理システムに前記印刷表示と電子表示の少なくとも１つを修正させる入力を前記ユーザから受け付けるユーザインタフェースを備えることを特徴とするシステム。
【請求項９８】
請求項６９記載のシステムであって、前記メディア処理システムは、外部計算装置からの支援により前記印刷表示と前記電子表示の少なくとも１つを決定することを特徴とするシステム。
【請求項９９】
ネットワークと、
前記ネットワークに接続された印刷装置とを備えたネットワーク印刷システムであって、
前記印刷装置が、
タイムベースメディアを受信するための入力ソースと、
前記入力ソースに接続され、前記タイムベースメディアの印刷表示を生成する第１出力ソースと、
前記入力ソースに接続され、前記印刷表示に対応する前記タイムベースメディアの電子表示を生成する第２出力ソースと、
前記ネットワークに接続され、前記印刷表示と前記電子表示を生成するため、前記印刷装置と共に前記タイムベースメディアを処理する計算装置とを備えることを特徴とするシステム。
【請求項１００】
請求項９９記載のネットワーク印刷システムであって、前記入力ソースは、前記印刷装置に前記タイムベースメディアを提供する電子装置に前記印刷装置が通信可能に接続されるのを可能にする単一の通信インタフェースを備えることを特徴とするシステム。
【請求項１０１】
請求項９９記載のシステムであって、前記ネットワークは、ローカルエリアネットワークであることを特徴とするシステム。
【請求項１０２】
請求項９９記載のシステムであって、前記入力ソースは、着脱可能なメディア記憶装置読取器、ＤＶＤ読取器、ビデオカセットテープ読取器、ＣＤ読取器、オーディオカセットテープ読取器及びフラッシュカード読取器の少なくとも１からなるメディア入力装置を備えることを特徴とするシステム。
【請求項１０３】
請求項９９記載のシステムであって、前記入力ソースはメディア配信へのチューニングが可能なメディア配信受信機を備えることを特徴とするシステム。
【請求項１０４】
請求項９９記載のシステムであって、前記入力ソースは、埋め込みテレビ受信機、埋め込みラジオ受信機、埋め込み短波ラジオ受信機、埋め込み衛星無線受信機、埋め込み双方向無線装置及び埋め込み携帯電話の少なくとも１からなる埋め込み受信機を備えることを特徴とするシステム。
【請求項１０５】
請求項９９記載のシステムであって、前記入力ソースは、埋め込み温度センサ、埋め込み湿度センサ、埋め込み気象警報無線受信機及び埋め込みテレビ緊急放送システム警報モニタの少なくとも１からなる埋め込み装置を備えることを特徴とするシステム。
【請求項１０６】
請求項９９記載のシステムであって、前記入力ソースは、埋め込み画面キャプチャハードウェアを備えることを特徴とするシステム。
【請求項１０７】
請求項９９記載のシステムであって、前記入力ソースは、超音波ペンキャプチャ装置を備えることを特徴とするシステム。
【請求項１０８】
請求項９９記載のシステムであって、前記入力ソースは埋め込みビデオレコーダを備え、前記外部ソースは前記埋め込みビデオレコーダによりキャプチャされ、電子フォーマットに変換され、前記第１出力ソース及び/または前記第２出力ソースに提供される画像系列であることを特徴とするシステム。
【請求項１０９】
請求項９９記載のシステムであって、前記インタフェースは埋め込みオーディオレコーダを備え、前記外部ソースは前記埋め込みオーディオレコーダにより電子フォーマットに変換され、前記第１出力ソース及び/または前記第２出力ソースに提供される音声系列であることを特徴とするシステム。
【請求項１１０】
請求項９９記載のシステムであって、前記第２出力ソースは、前記電子表示を着脱可能な記憶装置に書き込むよう構成されることを特徴とするシステム。
【請求項１１１】
請求項１１０記載のシステムであって、前記着脱可能な記憶装置は、ＤＶＤ、ビデオカセットテープ、ＣＤ、オーディオカセットテープ、フラッシュカード、コンピュータディスク、ＳＤディスク及びコンピュータ読み出し可能な媒体の少なくとも１からなることを特徴とするシステム。
【請求項１１２】
請求項９９記載のシステムであって、前記第２出力ソースは、複数の着脱可能な記憶装置を収容するハンドリング機構を備えることを特徴とするシステム。
【請求項１１３】
請求項１１２記載のシステムであって、前記ハンドリング機構は、フィーダ、バンドライア及びトレイの少なくとも１からなることを特徴とするシステム。
【請求項１１４】
請求項９９記載のシステムであって、前記第２出力ソースは、使い捨て可能なメディアライタ及び自壊式メディアライタの少なくとも１つからなるメディアライタを備えることを特徴とするシステム。
【請求項１１５】
請求項９９記載のシステムであって、前記第２出力ソースは、スピーカーシステムに接続され、音声信号を前記スピーカーシステムに送信することを特徴とするシステム。
【請求項１１６】
請求項１１５記載のシステムであって、前記第２出力ソースは、前記音声信号を生成する埋め込み音声プレーヤーを備えることを特徴とするシステム。
【請求項１１７】
請求項９９記載のシステムであって、前記第２出力ソースは、埋め込みウェブページディスプレイを備えることを特徴とするシステム。
【請求項１１８】
タイムベースメディアの印刷方法であって、
外部ソースからタイムベースメディアを受信するステップと、
前記タイムベースメディアの印刷表示と電子表示を決定するため、前記タイムベースメディアを処理するステップと、
前記印刷表示に対応する印刷出力を生成するステップと、
前記電子表示に対応する電子出力を生成するステップとからなり、前記タイムベースメディア処理ステップは、印刷システム内で少なくとも一部、前記印刷システムにネットワークを介し接続されるネットワーク装置内で少なくとも一部実行されることを特徴とする方法。
【請求項１１９】
請求項１１８記載の印刷方法であって、前記タイムベースメディアは、単一の通信インタフェースを介して受信されることを特徴とする方法。
【請求項１２０】
請求項１１８記載の印刷方法であって、前記タイムベースメディアは、前記印刷システムの着脱可能なメディア記憶装置読取器から受信することを特徴とする方法。
【請求項１２１】
請求項１１８記載の印刷方法であって、前記タイムベースメディアは、ＤＶＤ読取器、ビデオカセットテープ読取器及びフラッシュカード読取器の少なくとも１からなる前記印刷システムの映像入力装置から受信されることを特徴とする方法。
【請求項１２２】
請求項１１８記載の印刷方法であって、前記タイムベースメディアは、ＣＤ読取器、オーディオカセットテープ読取器及びフラッシュカード読取器の少なくとも１からなる前記印刷システムの音声入力装置から受信されることを特徴とする方法。
【請求項１２３】
請求項１１８記載の印刷方法であって、前記タイムベースメディアは、メディア配信へのチューニングが可能な前記印刷システムのメディア配信受信機から受信されることを特徴とする方法。
【請求項１２４】
請求項１１８記載の印刷方法であって、前記タイムベースメディアは、埋め込みテレビ受信機、埋め込みラジオ受信機、埋め込み短波ラジオ受信機、埋め込み衛星無線受信機、埋め込み双方向無線装置及び埋め込み携帯電話の少なくとも１からなる埋め込み受信機から受信されることを特徴とする方法。
【請求項１２５】
請求項１１８記載の印刷方法であって、前記タイムベースメディアは、埋め込み温度センサ、埋め込み湿度センサ、埋め込み気象警報無線受信機及び埋め込みテレビ緊急放送システム警報モニタの少なくとも１からなる埋め込み装置から受信されることを特徴とする方法。
【請求項１２６】
請求項１１８記載の印刷方法であって、前記タイムベースメディアは、埋め込み画面キャプチャハードウェアから受信されることを特徴とする方法。
【請求項１２７】
請求項１１８記載の印刷方法であって、前記タイムベースメディアは、超音波ペンキャプチャ装置から受信されることを特徴とする方法。
【請求項１２８】
請求項１１８記載の印刷方法であって、前記タイムベースメディアは埋め込みビデオレコーダから受信され、前記外部ソースは前記埋め込みビデオレコーダによりキャプチャされ、電子フォーマットに変換され、前記タイムベースメディア処理ステップに提供される画像系列であることを特徴とする方法。
【請求項１２９】
請求項１１８記載の印刷方法であって、前記タイムベースメディアは埋め込みオーディオレコーダから受信され、前記外部ソースは前記埋め込みオーディオレコーダにより電子フォーマットに変換され、前記タイムベースメディア処理ステップに提供される音声系列であることを特徴とする方法。
【請求項１３０】
請求項１１８記載の印刷方法であって、前記電子出力生成ステップは、前記電子表示を着脱可能な記憶装置に書き込むことからなることを特徴とする方法。
【請求項１３１】
請求項１３０記載の印刷方法であって、前記着脱可能な記憶装置は、ＤＶＤ、ビデオカセットテープ、ＣＤ、オーディオカセットテープ、フラッシュカード、コンピュータディスク、ＳＤディスク及びコンピュータ読み出し可能な媒体の少なくとも１からなることを特徴とする方法。
【請求項１３２】
請求項１１８記載の印刷方法であって、前記電子出力は、使い捨て可能なメディアライタにより生成されることを特徴とする方法。
【請求項１３３】
請求項１１８記載の印刷方法であって、前記電子出力は、自壊式のメディアライタにより生成されることを特徴とする方法。
【請求項１３４】
請求項１１８記載の印刷方法であって、前記電子出力生成ステップは、スピーカーシステムによる再生のための音声信号を生成することからなることを特徴とする方法。
【請求項１３５】
請求項１１８記載の印刷方法であって、前記電子出力生成ステップは、表示システムによる再生のための映像信号を生成することからなることを特徴とする方法。
【発明の詳細な説明】
【技術分野】
【０００１】
本発明は、タイムベースメディアを印刷する機能を埋め込んだプリンタ、ネットワーク印刷システム及び印刷システムに関し、より詳細には、印刷出力及び関連する電子データ出力の組み合わせを生成するタイムベースメディア（ｔｉｍｅ−ｂａｓｅｄ  ｍｅｄｉａ）の印刷処理に関する。
【背景技術】
【０００２】
従来のプリンタは様々なフォーマットの文書あるいは他のデータの受信が可能であり、その後、適切なフォーマットに従ってこれら文書あるいはデータの内容を印刷する。しかしながら、従来のプリンタは広範なタイプのフォーマットで文書を印刷することができるが、これらのプリンタは基本的には異なる種類のメディアの再生能力という点で制限されている。例えば、プリンタが静的なテキスト、画像またはこれらの組み合わせの画像を生成するのは標準的な技術である。しかしながら、このようなプリンタは紙や他の同様の固定された媒体に印刷するため、タイムベースメディアの微妙さをうまく記録することができない。
【発明の開示】
【発明が解決しようとする課題】
【０００３】
このため、従来のプリンタが有する制限なく、タイムベースメディアを印刷することが可能なプリンタが必要とされる。さらに、そのようなプリンタは、必要な処理のすべての実行を付属されたコンピュータあるいは他の装置に要求するというのでなく、これら処理の少なくとも一部を自ら実行できることが望ましい。また、プリンタによる当該処理の一部が外部装置上で実行されてもよい。
【０００４】
本発明は、上記課題に鑑みなされたものであり、タイムベースメディアの印刷出力及び電子出力を効果的に生成するプリンタ、ネットワーク印刷システム及び印刷方法を提供することを目的とする。
【課題を解決するための手段】
【０００５】
上記課題を解決するため、本発明は、タイムベースメディアを印刷するプリンタであって、外部ソースからタイムベースメディアを受信するためのインタフェースと、前記インタフェースに接続され、前記タイムベースメディアの印刷表示と電子表示を決定するメディア処理システムと、前記メディア処理システムと通信して前記印刷表示を受信し、該受信した印刷表示から対応する印刷出力を生成する印刷出力システムと、前記メディア処理システムと通信して前記電子表示を受信し、該受信した電子表示から対応する電子出力を生成する電子出力システムとからなることを特徴とする。
【０００６】
また、本発明は、タイムベースメディアを受信するための入力ソースと、前記入力ソースに接続され、前記タイムベースメディアの印刷表示を生成する第１出力ソースと、前記入力ソースに接続され、前記タイムベースメディアの印刷表示に対応する前記タイムベースメディアの電子表示を生成する第２出力ソースとを備えることを特徴とする多機能プリンタである。
【０００７】
また、本発明は、タイムベースメディアの印刷方法であって、外部ソースからタイムベースメディアを受信するステップと、前記タイムベースメディアの印刷表示と電子表示を決定するため、前記タイムベースメディアを印刷システム内において少なくとも部分的に処理するステップと、前記印刷表示に対応する印刷出力を生成するステップと、前記電子表示に対応する電子出力を生成するステップとからなることを特徴とする。
【０００８】
また、本発明は、タイムベースメディアを印刷するシステムであって、外部ソースからタイムベースメディアを受信するためのインタフェースと、印刷システムとネットワーク装置を有するネットワークと、前記タイムベースメディアを受信するため前記インタフェースに接続され、前記タイムベースメディアの印刷表示と電子表示を決定するメディア処理システムと、前記メディア処理システムと通信して前記印刷表示を受信し、該受信した印刷表示から対応する印刷出力を生成する印刷出力システムと、前記メディア処理システムと通信して前記電子表示を受信し、該受信した電子表示から対応する電子出力を生成する電子出力システムとを備え、前記メディア処理システムは、前記印刷システム上に少なくとも一部、前記ネットワーク装置上に少なくとも一部が配置されることを特徴とする。
【０００９】
また、本発明は、ネットワークと、前記ネットワークに接続された印刷装置とを備えたネットワーク印刷システムであって、前記印刷装置が、タイムベースメディアを受信するための入力ソースと、前記入力ソースに接続され、前記タイムベースメディアの印刷表示を生成する第１出力ソースと、前記入力ソースに接続され、前記印刷表示に対応する前記タイムベースメディアの電子表示を生成する第２出力ソースと、前記ネットワークに接続され、前記印刷表示と前記電子表示を生成するため、前記印刷装置と共に前記タイムベースメディアを処理する計算装置とを備えることを特徴とする。
【００１０】
また、本発明は、タイムベースメディアの印刷方法であって、外部ソースからタイムベースメディアを受信するステップと、前記タイムベースメディアの印刷表示と電子表示を決定するため、前記タイムベースメディアを処理するステップと、前記印刷表示に対応する印刷出力を生成するステップと、前記電子表示に対応する電子出力を生成するステップとからなり、前記タイムベースメディア処理ステップは、印刷システム内で少なくとも一部、前記印刷システムにネットワークを介し接続されるネットワーク装置内で少なくとも一部実行されることを特徴とする。
【００１１】
従来のプリンタによってはカバーされない要求を満足するため、本発明の一実施例によるタイムベースメディアを印刷するシステムは、少なくとも一部をネットワークマルチメディアプリンタに、少なくとも一部を外部メディア処理システムに配置されるメディア処理システムからなる。このようなプリンタの典型的なハードウェア構成では、プリンタは、印刷された用紙や他の印刷媒体を生成する印刷エンジンと関連する電子出力を生成する１以上の電子装置を収容する筺体を備える印刷出力と電子出力により、従来の紙ベースのプリンタよりも周辺装置からのマルチメディアデータの高品質な表示が提供される。
【００１２】
一実施例では、ネットワーク印刷システムは、ネットワーク装置とプリンタに接続されたネットワークを有する。インタフェースが、外部ソースからタイムベースメディアを受け取り、このタイムベースメディアの処理のためメディア処理システムが当該インタフェースに接続される。任意の所望の用途に基づき、メディア処理システムは、タイムベースメディアの印刷表示及び電子表示を決定する。計算負荷を分散させるため、メディア処理システムは、少なくとも一部をプリンタに、少なくとも一部をネットワーク装置に配置される。メディア処理システムと通信可能な印刷出力システムは、印刷表示を受け取り、対応する印刷出力を生成する。同様に、メディア処理システムと通信可能な電子出力システムは、電子表示を受け取り、対応する電子出力を生成する。このようにして、プリンタは、印刷出力と電子出力を生成することにより、タイムベースメディアの表示を生成することができる。
【００１３】
様々な実施例では、本発明によるプリンタ及び印刷システムは、メディアを受信するための様々な機構と印刷及び電子出力を生成する機構を実現する埋め込み装置の様々な組み合わせを備える。例えば、インタフェースは、通信インタフェース、ネットワークインタフェース、着脱可能なメディア記憶装置読取器、映像入力装置（ＤＶＤ読取器やビデオカセット読取器のような）、音声入力装置（ＣＤ読取器、ＭＰ２プレーヤーやオーディオカセット読取器のような）、メディア配信受信機、無線受信機、画面キャプチャハードウェア、ビデオ及び/またはオーディオレコーダ、デジタルビデオレコーダ（ＴｉＶＯなど）、デジタルオーディオレコーダ、あるいはタイムベースメディアの受信が可能な他の任意のタイプの装置を備えてもよい。同様に、電子出力システムは、ＤＶＤ、デジタルビデオレコーダ、ビデオカセットテープ、ＣＤ、オーディオカセットテープ、デジタルオーディオレオーだ、フラッシュカード、コンピュータディスク、ＳＤディスク、あるいは他のコンピュータ読み出し可能な媒体などの１以上の様々な着脱可能なメディア記憶装置に、電子表示を書き込むかもしれない。電子出力装置はまた、使い捨てメディアライタ（ｍｅｄｉａ  ｗｒｉｔｅｒ）、自己消滅式メディアライタ、ビデオディスプレイ、オーディオスピーカー、スピーカーシステムのドライバ（埋め込みＭＩＤＩプレーヤーのような）、あるいは埋め込みウェブページディスプレイを備えてもよい。このように、複数の機能を実行するマルチメディアプリンタは、多様な要求に対応できるように、埋め込みサブシステムと外部メディア処理システムの多数の組み合わせの何れかによる複数のメディア形式のデータの処理を実行できるよう構成されている。
【００１４】
本システムは、多様な入出力装置に対応できるように、メディアに対する様々な処理を実行することができる埋め込みハードウェア、ソフトウェアまたはその組み合わせを備えてもよい。本システムは、様々な用途のニーズに対応できるように、受信したメディアに基づく様々なタイプの印刷出力と電子出力の生成が可能となるよう構成されている。上記ニーズに応えるため、本システムでは、メディア処理システムが、メディア処理タスクを実行する１以上の埋め込みマルチメディアモジュールを備えるよう構成されている。様々な実施例では、１以上のメディア処理モジュールは、プリンタ（例えば、埋め込みマルチメディアサーバ）に埋め込まれてもよいし、あるいは外部サービスまたは外部装置に配置されてもよい。
【００１５】
これらのタスクは、メディア処理システムによりプリンタ上で実行されてもよいし、あるいは必要な処理ステップの一部を実行することができる１以上の電子装置と協調して、メディア処理システムにより部分的はプリンタ上で実行されてもよい。プリンタは、特に共有プリンタには重要な大きな処理負荷から生じる処理の低速化を回避することができる。メディア処理システムは、さらに、プリンタと外部メディア処理システムとの間のタスク処理を制御する処理論理を備える。印刷システムは、プリンタと１以上の外部メディア処理システムとの間でのメディアの必要な処理をバランスさせることができる。プリンタは、必要な処理の少なくとも一部のみを実行することにより、プリンタの追加的な機能に必要な処理負荷の少なくとも一部を外部メディア処理システム上で実行させることができる。
【発明の効果】
【００１６】
本発明によると、タイムベースメディアの印刷出力及び電子出力を効果的に生成するプリンタ、ネットワーク印刷システム及び印刷方法を提供することができる。
【発明を実施するための最良の形態】
【００１７】
以下、本発明を実施するための最良な実施の形態が、図面を参照することにより説明される。
【００１８】
まず、本発明の第１実施例によるプリンタが説明される。
【００１９】
本発明の様々な実施例による多機能プリンタは、有益かつ高度なフォーマットによるタイムベースメディアの印刷を可能にする。このタイムベースメディアの表示を生成するため、本発明によるプリンタは、受信したメディアを表現する印刷出力と関連する電子出力を生成する。プリンタの所望の用途に依存して、本発明によるプリンタは、メディアの受信と、印刷出力の印刷、電子出力の生成のための任意数の装置を備える。従って、ここでは多くの実施例によるプリンタが説明され、そのようなプリンタが実質的に無限の組み合わせにより既存の要求を解決するために、どのように構成可能であるかが示される。
【００２０】
［プリンタの構成］
図１は、本発明の一実施例によるプリンタ１００の概略図である。
【００２１】
図１を参照するに、プリンタ１００は、メディアソースインタフェース１０５と、ユーザインタフェース１１０と、印刷出力システム１１５と、電子出力システム１２０と、メディア処理システム１２５からなる。タイムベースメディア１５０の受け取りが可能なメディアソースインタフェース１０５は、様々な形態をとることが可能であり、メディアイベントの検出によるメディアデータの受信または生成が可能な１以上の装置を備える。同様に、印刷出力システム１１５と電子出力システム１２０もまた、様々な形態をとることが可能であり、それぞれ印刷出力１６０と電子出力１７０の生成が可能な１以上の装置を備える。ユーザインタフェース１１０は、表示システム、付属のディスプレイと通信するためのソフトウェアなどからなる。
【００２２】
一実施例では、メディア処理システム１２５は、メモリ１３０と、プロセッサ１３５と、１以上の埋め込み機能モジュール１４０からなる。以下でより詳細に説明される埋め込み機能モジュール１４０は、多機能プリンタ１００の機能の少なくとも一部を実現するためのソフトウェア、ハードウェアまたはそれらの組み合わせを備える。メディア処理システム１２５は、メディアソースインタフェース１０５とユーザインタフェース１１０に接続され、それぞれと通信できるよう構成される。メディア処理システム１２５はまた印刷出力システム１１５と電子出力システム１２０に接続され、これらシステムに適切なコマンド及びデータを提供する。
【００２３】
図２は、本発明の一実施例によるプリンタ１００によるタイムベースメディアデータ１５０の表現生成のための一般化されたプロセスの概要を示す。
【００２４】
図２を参照するに、まず、ステップ２０５において、プリンタ１００は、外部ソースからメディアソースインタフェース１０５を介しタイムベースメディア１５０を受け取る。このタイムベースメディア１５０は、デジタルあるいはアナログデータとして受信されてもよいし、あるいはインタフェース１０５がデジタルまたはアナログデータとして記録する観察可能なイベントであってもよい。メディア１５０を受信するためインタフェース１０５に接続されたメディア処理システム１２５は、ステップ２１０において当該メディアデータを処理し、印刷及び電子出力を生成する。ステップ２１０におけるこの処理は、プリンタ１００の対象とする機能に従い実行され、いくつかの動作例が以下で詳細に説明される。
【００２５】
一実施例では、プリンタ１００は、ユーザによる生成された出力のプレビューを可能にするユーザインタフェース１１０を備える。ステップ２１５において、ユーザがさらなる精製処理を所望する場合、ユーザはコマンドを入力することができ、ステップ２２０においてプリンタ１００はユーザインタフェース１１０を介し当該コマンドを受け取る。このユーザによるコマンドに基づき、プリンタ１００はその後ステップ２１０におけるメディアデータの処理を繰り返し、新しい印刷及び電子出力が生成される。この精製処理は、ユーザが印刷及び電子出力に満足するまで繰り返し行うことができる。所望の出力が得られると、ユーザは、例えば、ユーザインタフェース１１０を介し印刷コマンドを与えることにより、印刷の開始を指示する。その後、メディア処理システム１２５は、生成された印刷出力を印刷出力システム１１５に、電子出力を電子出力システム１２０に送信する。その後ステップ２２５において、印刷出力システム１１５は印刷出力１６０を生成し、ステップ２３０において、電子出力システム１２０は電子出力１７０を生成する。
【００２６】
多機能プリンタのこのような一般化された説明は、多機能プリンタの様々な構成及び応用を導くと考えられる。従って、可能な構成、応用及び構成要素の例がさらに説明される。
【００２７】
［メディアソースインタフェース］
メディアソースインタフェース１０５は、任意の適切なタイプのタイムベースメディアを収容するよう設計される。メディアデータは様々なタイプ及びフォーマットが存在するため、メディアソースインタフェース１０５もまた、ユーザが印刷を所望する任意のタイムベースメディアを扱うことができるように、任意の形態をとってもよい。
【００２８】
図３は、本発明の一実施例によるプリンタ１００の様々なメディアソース入力サブシステムを概略図である。
【００２９】
図３を参照するに、プリンタ１００が外部ソースからメディアデータを受信することができるいくつかのインタフェース１０５の例が示される。ある実施例では、プリンタ１００は、これらのインタフェース１０５の１つのみ、あるいはその一部のみを有するようにしてもよく、さらに他のタイプのインタフェース（図示せず）を有するようにしてもよい。
【００３０】
プリンタ１００は、他の電子装置と通信可能に接続されることを可能にする単一の通信インタフェース３０５を有する。所望の入力に依存して、インタフェース３０５は、コンピュータがプリンタ１００に印刷対象のタイムベースメディアを提供することが可能な様々な電子装置と通信することを可能にする。装置タイプに制限を与えることなく、インタフェース３０５はプリンタ１００が、コンピュータシステム、コンピュータネットワーク、デジタルカメラ、ビデオカメラ、メディア表示装置（ＤＶＤやＣＤプレーヤーのような）、メディア受信機（テレビ、衛星受信機、セットトップボックス、ラジオなど）、外部記憶装置、テレビゲームシステム、あるいはそれらの任意の組み合わせなどの外部ソースからメディアデータを受信することを可能にする。インタフェース３０５の接続タイプは、プリンタ１００に接続される装置のタイプと、この装置タイプの利用可能な標準的な接続に基づき、様々な形態をとりうる。例えば、インタフェース３０５は、ＵＳＢ、シリアル、ＦｉｒｅＷｉｒｅ、ＳＣＳＩ，ＩＤＥ、ＲＪ１１、光、コンポジットビデオ（ｃｏｍｐｏｓｉｔｅ  ｖｉｄｅｏ）、コンポーネントビデオ、Ｓ−ｖｉｄｅｏなどの接続タイプ、あるいは他の任意の適切な接続タイプを利用した装置に接続するためのポートを有するようにしてもよい。
【００３１】
他の実施例では、プリンタ１００は無線インタフェース３１０を有する。図示されるように、無線インタフェース３１０は、プリンタ１００が外部無線装置からメディアデータを受信することを可能にする。無線インタフェース３１０は、プリンタ１００が、家庭のネットワークまたは企業のネットワーク上の無線装置、携帯電話、他の携帯型無線装置、衛星装置、及び無線送信を利用した装置などの任意の無線通信システムとの通信を可能にする。プリンタ１００が通信を所望する外部装置のタイプに依存して、無線インタフェース３１０は、ＩＥＥＥ８０２．１１に規定されるような無線通信プロトコル、あるいはブルートゥース規格に従う無線通信プロトコルを実現するハードウェア及び/またはソフトウェアを備えてもよい。
【００３２】
他の実施例では、プリンタ１００は、プリンタ１００に組み込まれた着脱可能なメディア記憶リーダ３１５からメディアデータを受信する。着脱可能なメディア記憶リーダ３１５は、ＤＶＤ、ＣＤ、ビデオカセットテープ、オーディオカセットテープ、フロッピー（登録商標）ディスク、ＺＩＰディスク、フラッシュカード、マイクロデバイス、メモリスティック、ＳＤディスクなどの任意のタイプの着脱可能メディア記憶装置、あるいは他の任意の適切なタイプのメディア記憶装置を収容できるよう構成される。さらに、プリンタ１００は、複数タイプのメディア記憶装置を収容できるよう複数の着脱可能メディア記憶リーダ３１５を有するようにしてもよい。
【００３３】
他の実施例では、プリンタ１００は埋め込みビデオレコーダ３３０を備える。この実施例では、外部ソースからのメディアデータは、埋め込みビデオレコーダ３３０によりキャプチャされた画像系列である。カメラ、ＣＣＤあるいは画像系列をキャプチャするための他の適切な機構などのビデオレコーダ３３０は、画像をＭＰＥＧ、Ｈ．２６３またはＨ．２６４規格などによる適切な電子フォーマットに変換する。任意的に、アナログ−デジタル変換機３３５がビデオレコーダ３３０からの画像を直接デジタルフォーマットに変換し、メディア処理システム１２５に出力するようにしてもよい。また他の実施例では、メディア処理システム１２５は、加工されていない映像データをビデオレコーダ３３０から受信し、当該映像データに必要な変換、符号化及び圧縮を行うようにしてもよい。
【００３４】
他の実施例では、プリンタ１００は埋め込みオーディオレコーダ３４０を備える。この実施例では、外部ソースからのメディアデータは、埋め込みオーディオレコーダ３４０により電子フォーマットに変換される音声系列である。オーディオレコーダ３４０は、記録された音声信号をＭＰＥＧ−２などの適切な電子フォーマットに変換する。任意的に、アナログ−デジタル変換機３３５は、オーディオレコーダ３４０からの音声を直接デジタルフォーマットに変換し、メディア処理システム１２５に出力する。さらなる他の実施例では、メディア処理システム１２５は、加工されていない音声データをオーディオレコーダ３４０から受信し、当該音声データに必要な変換、符号化及び圧縮を行うようにしてもよい。
【００３５】
他の実施例では、プリンタ１００はメディア配信受信機３４５を備える。メディア配信受信機３４５は、メディア放送局からのメディア配信へのチューニングが可能である。チューニング可能かつ受信可能なメディア配信のタイプには、インターネット、ケーブル放送、テレビ、ラジオ及び他の任意のメディアソースからの配信を含む。特定のメディア配信にチューニングするためには、ユーザはユーザインタフェース１１０を使ってメディア配信を選択するかもしれない。一実施例では、メディア配信受信機３４５は、埋め込みテレビ受信機、埋め込みラジオ受信機、埋め込み短波ラジオ受信機、埋め込み衛星放送受信機、埋め込み双方向無線機、埋め込み携帯電話、あるいは上記の任意の組み合わせであるかもしれない。しかしながら、これらは限定的に解釈されるべきものでなく、メディア配信受信機３４５は、ある信号にチューニング可能であり、かつそれからメディアデータの受信が可能な任意の装置とすることができる。
【００３６】
他の実施例では、プリンタ１００は、信号の受信あるいは実際のイベントの検出が可能な埋め込みイベントセンサ３５０を備える。メディア配信受信機３４５と同様に、イベントセンサ３５０は、実際のイベントに関するデータを、例えば、埋め込み気象警報無線受信機や埋め込みテレビ緊急放送システム警報モニタなどにより受信してもよい。あるいは、イベントセンサ３５０は、環境の測定及びタイムベースメディアの生成が直接実行できるように、埋め込み温度センサ、埋め込み湿度センサ、あるいは他の任意のタイプの測定装置を備えるようにしてもよい。このように、プリンタ１００を利用して、その近傍あるいは離れた位置におけるイベントを記録し、当該イベントに基づきタイムベース情報出力を生成することができる。
【００３７】
他の実施例では、プリンタ１００はビデオキャプチャハードウェア３５５を備えるようにしてもよい。一実施例では、ビデオキャプチャハードウェア３５５は、それの映像ケーブルにより計算システムに接続されるよう設計される。ディスプレイからの映像ケーブルがプリンタ１００に装着され、映像信号が計算システムとビデオキャプチャハードウェア３５５に分けられる。ビデオキャプチャハードウェア３５５は、映像信号の連続するフレーム間の差分をとり、プリンタ１００の二次記憶装置にある閾値を超える差分を有するフレームを保存する。これにより計算システムの処理を節約するとこができ、応答性とユーザ利便性の向上、及びユーザ行動の閲覧性能の高い容易な記録の提供が可能となる。多機能プリンタの印刷能力を利用するため、ユーザはビデオキャプチャハードウェア３５５によりキャプチャされた選択フレームの印刷を選ぶことができる。この印刷は、プリンタ１００上のユーザインタフェース１１０を介した要求、接続されている計算システムを介した要求、あるいはスケジューリングソフトウェアにより自動的に行うことができる。このようにして、ユーザは計算システム上の任意の動作のリプレイを見ることができる。ここで、キャプチャされたコンテンツは、フレーム間の差分が小さいため、効果的に圧縮することができる。
【００３８】
他の実施例では、ビデオキャプチャハードウェア３５５は、ＶＧＡ−ＮＴＳＣ変換ハードウェアのような変換モジュール３６０に接続される。そのような実施例は、プロジェクタにより生成される表示をキャプチャするため、プロジェクタと共に利用することが可能である。発話者の音声表現の記録にオーディオキャプチャを利用することもできる。このように、ビデオキャプチャハードウェア３５５を利用するため、ユーザはプリンタ１００をラップトップまたは他の計算システム及びプロジェクタと接続する。その後、プリンタ１００は映像フレームをキャプチャし、それらを直近にキャプチャしたフレームと比較し、異なるフレームを保存する。パラレルなオーディオトラックが保存されてもよい。この処理はデスクトッププリンタにおいて利用可能であり、当該プリンタに接続された計算システムに生成された表現を記録することが可能である。その後、プリンタはこの音声を保存してもよいし、あるいは携帯電話やＰＤＡからの再生が可能なＳＤディスクのようなデジタルメディアに書き込まれてもよい。音声はまたバーコードとして印刷されてもよい。
【００３９】
他の実施例では、プリンタ１００は超音波ペンキャプチャ装置３６５を備える。この実施例では、プリンタ１００は、原稿と接触可能な安価なセンサとして機能するハードウェアモジュール３６５を備える。このような装置により、ユーザは原稿への書き込みが可能であり、結果がプリンタ１００に保存される。一実施例では、キャプチャされた結果は、書き込み発生時を示す時間データと共にユーザにより書き込みを含む。このタイムベースメディアデータは、その後印刷されるか、あるいは他の誰かに（例えば、電子メールにより）送信されてもよい。ここで、このタイムメディアデータは、例えば、ユーザの書き込みと共にその書き込みが行われた時間を示すタイムスタンプを示すものであるかもしれない。
【００４０】
［印刷出力システム］
図４は、本発明の一実施例によるプリンタ１００の印刷出力システムの概略図である。
【００４１】
図４を参照するに、印刷出力システム１１５は、標準的なレーザプリンタ、インクジェットプリンタ、熱転写プリンタ、昇華型プリンタ、ドットプリンタ、プロッタ、または印刷画像を適切な物理媒体に形成するのに適した他の任意のタイプの印刷機構に含まれるような任意の標準的な印刷ハードウェアから構成される。ここでは、レーザプリンタ機構の例を使って印刷出力システム１１５が説明される。しかしながら、任意の適切な印刷システムが利用可能であると理解されるべきである。プリンタ１００は、当業者には既知な、用紙のような印刷可能媒体に印刷するのに必要な任意のサブシステムを備える。
【００４２】
一実施例では、印刷出力システム１１５は、印刷対象の白紙の用紙を受け取るメディア供給ハンドラ４０５を備える。メディア供給ハンドラ４０５は、典型的には、供給トレイ４１０から用紙を受け取る。プリンタ１００は、異なる用紙サイズ及び用紙タイプに適応可能となるように、複数の異なる容量の供給トレイ４１０を備えるようにしてもよい。プリンタ１００が印刷のため用紙を必要とするとき、メディア供給ハンドラ４０５が印刷エンジン４２０に白紙の用紙を供給する。
【００４３】
フォーマッタ４１５は、メディア処理システム１２５から受け取ったデータを印刷エンジン４２０が用紙上に画像を形成するのに利用可能なフォーマットに変換する。印刷エンジン４２０は、フォーマッタ４１５により示されるように、用紙に画像を形成する。その後、定着装置４２５を利用して、高温高圧の下で用紙に画像を定着させる。画像が定着すると、用紙はメディア出力ハンドラ４３０に出力される。図示されないが、プリンタ１００は、用紙をプリンタ内で移動させるのに必要な任意のモーター、ギア及びダイバータを備えているということは理解されるであろう。
【００４４】
メディア出力ハンドラ４３０は、１以上の印刷用紙を受け取り、この用紙に対して任意の要求された仕上げ処理を行う。例えば、メディア出力ハンドラ４３０は、複数のコピーのために用紙をソートまたは丁合するソータ４３５と、これらの用紙を綴じるためのステープラ４４０を備えていてもよい。仕上げ処理が完了すると、メディア出力ハンドラ４３０は、用紙を異なる用紙サイズ及びタイプに収容可能な様々な容量を有する複数のトレイからなる出力トレイ４４５に移す。
【００４５】
［電子出力システム］
図５は、本発明の一実施例によるプリンタ１００の電子出力システムの概略図である。
【００４６】
図５を参照するに、電子出力システム１２０は、メディアデータに関する電子出力を任意の所望のフォーマットにより生成するよう設計される。様々なタイプ及びフォーマットの電子出力に対応できるように、電子出力システム１２０は、ユーザにより所望される電子出力を生成するための任意の種類の形式に対応できるようにしてもよい。図５は、電子出力システム１０５のいくつかの実施例を示す。実施形態によって、プリンタ１００は図示される様々な構成要素の１つのみを、あるいはそれらの一部のみを有するようにしてもよく、さらに、プリンタ１００は図示されない他のタイプの構成要素を含むものであってもよい。
【００４７】
一実施例では、プリンタ１００は、メディアライタ（ｍｅｄｉａ  ｗｒｉｔｅｒ）５０５により電子出力を着脱可能なメディア装置に書き込む。様々なタイプのメディアライタが知られているが、メディアライタ５０５はその中の任意のものであってよい。例えば、メディアライタ５０５は、電子出力を書き込み可能なＤＶＤやＣＤ、ビデオカセットテープ、オーディオカセットテープ、フラッシュカード、コンピュータディスク、ＳＤディスク、メモリスティックなどの着脱可能な記憶装置、あるいは他の任意の適切な電子的に読み出し可能な媒体に書き込むことができるよう構成されてもよい。さらに、電子出力システム１２０は、プリンタ１００による異なる電子フォーマットでの書き込みが可能となるよう、異なるタイプのメディアライタ５０５を備えるようにしてもよい。さらに、電子出力システム１２０は、プリンタ１００の出力能力を向上させるため、同一タイプの複数のメディアライタ５０５を備えるようにしてもよい。
【００４８】
プリンタ１００から電子出力を受け取る着脱可能な記憶装置は、例えば、ブランクディスクをドライブに挿入することにより、ユーザにより直接メディアライタに装着されるかもしれない。他の実施例では、プリンタ１００は、メディアライタ５０５に適切なタイプの着脱可能な記憶装置を自動的に提供するメディアライタ５０５に接続された電子メディア処理機構５１０を備えてもよい。この電子メディア処理機構５１０は、さらに、書き込まれる記憶装置を出力トレイ５１５の内部に物理的に配置するよう構成されてもよい。一実施例では、プリンタ１００によりオペレータとの多数のやりとりを要することなく大容量の電子出力が可能となるように、複数のブランク記憶装置が、バンドライア（ｂａｎｄｏｌｉｅｒ）５２０または他のタイプのフィーダ（ｆｅｅｄｅｒ）によりプリンタ１００に提供される。バンドライア５２０は、好ましくは、書き込まれた装置を出力トレイ５１５に配置する。
【００４９】
他の実施例では、メディアライタ５０５は、使い捨て可能なメディアライタであり、電子データを使い捨て可能な着脱可能メディア記憶機構への電子データの書き込みが可能なように構成されている。他の実施例では、メディアライタ５０５は、電子データを自己消滅する媒体に書き込むかもしれない。このように、ユーザは所定の回数または所定の期間電子データを閲覧することができ、その後、電子データは閲覧不可となる。
【００５０】
他の実施例では、電子出力システム１２０はスピーカーシステム５３０を備える。スピーカーシステム５３０は、メディア処理システム１２５から音声信号を受信するよう設計され、その受信に応答して、この音声がプリンタ１００の埋め込みスピーカー５３０から再生される。電子出力システム１２０は、さらに、メディア処理システム１２５から符号化された音声信号を受信し、それをスピーカー５３０用の音声信号に変換するプレーヤー５２５または音声再生装置を含んでもよい。プレーヤー５２５は、メディア処理システム１２５の処理を軽減する。例えば、プレーヤー５２５は、音声信号を生成するためのＭＩＤＩプレーヤーを備えるが、他の多くの音声再生装置はハードウェアまたはソフトウェアにより利用されてもよい。
【００５１】
他の実施例では、電子出力システム１２０は映像ディスプレイ５３５を備える。映像ディスプレイ５３５は、メディア処理システム１２５から映像信号を受信するよう設計され、その受信に応答して、プリンタ１００に埋め込まれた映像ディスプレイ５３５に映像が再生される。同様に、映像ディスプレイ５３５は、メディア処理システム１２５の処理負荷を軽減するため、ドライバから直接映像信号を受信してもよい。
【００５２】
他の実施例では、プリンタ１００は、印刷対象の電子出力を信号として他の装置に送信する。この信号は、後で外部装置により具体的な媒体に定着されうる。これを容易にするため、電子出力システム１２０は通信インタフェース５４０を備える。通信インタフェースは、メディア処理システム１２５から電子出力を受け取り、それをプリンタ１００とローカルネットワーク、インターネット、無線ネットワーク、ＵＳＢ（Ｕｎｉｖｅｒｓａｌ  Ｓｅｒｉａｌ  Ｂｕｓ）、ＩＥＥＥ１３９４、直接的な接続あるいは他の任意の適切な通信手段を介して通信可能な外部装置に送信する。
【００５３】
他の実施例では、電子出力システム１２０は、埋め込みウェブページディスプレイ５４５を備える。ウェブページディスプレイ５４５は、ユーザによるウェブベース形式での電子出力の閲覧を可能にする。
【００５４】
［メディア処理システム］
図６は、本発明の一実施例によるプリンタ１００のメディア処理システム１２５の一例となる構成を示す。
【００５５】
図６を参照するに、プリンタ１００のメディア処理システム１２５は、多機能プリンタ１００の特殊機能を実行するよう設計される。外部装置あるいはユーザインタフェース１１０との間のメッセージの送受信のため、メディア処理システム１２５は、プロセッサ１３５とメモリ１３０を備える。さらに、メディア処理システムは、プリンタ１００が異なるタイプのタイムベースメディアの印刷及び電子出力を生成することを可能にする１以上のハードウェア及び/またはソフトウェアモジュールを備える。このようにして、プリンタ１００は、任意の埋め込み機能を有するよう構成することができる。
【００５６】
図６を参照するに、一実施例では、プリンタ１００は、埋め込みマルチメディアサーバモジュール６１０と、暗号化モジュール６２０と、音源特定モジュール６３０と、映像動き検出モジュール６４０と、メディアフォーマット変換モジュール６５０と、コンテンツベース処理モジュール６６０と、Ａ／Ｖコンテンツ認識モジュール６７０の１以上を備える。これら埋め込み機能モジュールのそれぞれが以下で詳細に説明される。
【００５７】
メディア処理システム１２５は、プリンタ１００上でメディアデータの少なくとも処理の一部を実行するよう構成されているが、計算負荷の一部を共有できるように、外部の計算装置（図示せず）に接続されてもよい。この共有した計算装置は、コンピュータシステムまたは専用メディア処理ハードウェア装置であってもよい。このように、プリンタ１００は、プリンタ１００の機能の実現に必要な処理負荷の少なくとも一部から、タイムベースメディアソースを解放することができる。この場合、プリンタ１００は、負荷全体を担う必要がなくなる。これにより、プリンタ１００は、重い処理負荷から生じる処理の低速化を回避することができ、これは特に共有プリンタにとっては重要であるかもしれない。
【００５８】
［マルチメディア機能を有するプリンタ］
前述のように、プリンタ１００は、マルチメディアサーバとして動作し、それに関連する機能を有することを可能にする埋め込みマルチメディアサーバモジュール６１０を備えてもよい。様々な実施例において、マルチメディアサーバモジュール６１０は、マルチメディア機能を実現するためのハードウェアとソフトウェア、メディア処理ソフトウェア、及びコンピュータインタフェースハードウェアとソフトウェアを備える。このように、プリンタ１００は、マルチメディアサーバとして機能し、作業グループによる共有または個人のプリンタとして利用が可能である。マルチメディア機能を備えた様々な多機能プリンタは、本発明の実施例によるプリンタの可能な適用である。このようなプリンタの多数の実施例が、２００４年３月３０日に出願された同時係属中の米国特許出願第１０/８１４，８４２号「マルチメディアサーバを備えたプリンタ（Ｐｒｉｎｔｅｒ  ｗｉｔｈ  Ｍｕｌｔｉｍｅｄｉａ  Ｓｅｒｖｅｒ）」に開示されている。本開示では、印刷制御のために主に割り当てられるプロセッサと、様々な形式のメディアのためのハードウェア及び/またはソフトウェアインタフェースとやりとりするマルチメディアサーバを実行するための他のプロセッサとを有する埋め込みマルチメディアサーバを備えたプリンタが開示されている。そのようなインタフェースの例としては、ネットワークインタフェース、ＶＧＡポート、コード変換ハードウェア、無線インタフェース及び（ＵＳＢ）ポートがあげられる。処理されるメディアタイプの例としては、映像、音声及びテキストがあげられる。マルチメディアサーバは、特にタイムベースデータに対して、編集、フォーマット処理、コンテンツ取得のスケジューリング処理、検索、認識及びイベント検出などのマルチメディアコンテンツ処理を実行する。さらに、本プリンタはマルチメディア格納データベースを提供することができる。本プリンタは、ウェブブラウザの提供が可能な筐体上のユーザインタフェースを提供し、これにより、ユーザはマルチメディアコンテンツの処理の要望及び/または所望の出力媒体への印刷の選択を指示するために、プリンタと直接やりとりすることができる。
【００５９】
［暗号化機能を備えたプリンタ］
同様に、プリンタ１００は、受信したメディアデータに対する暗号化機能を実行することが可能となるように、埋め込み暗号化モジュール６２０を備えてもよい。典型的な適用例では、プリンタ１００は、暗号化対照のメディアファイルを受信し、このファイルを暗号化し、その後暗号化されたメディアファイルを着脱可能な記憶装置に書き込む。プリンタ１００はまた、暗号鍵、パスワード、メディア識別情報、及び任意的に暗号化されたメディアコンテンツの記述などの暗号化に関する情報を提供する関連用紙出力を印刷する。
【００６０】
暗号化機能を備えた多機能プリンタの様々な実施例が本発明の実施例によるプリンタの可能な適用事例となる。このようなプリンタの多数の実施例が、２００４年３月３０日に出願された同時係属中の米国特許出願第１０/８１４，８４１号「埋め込み暗号化機能を備えたマルチメディア出力装置（Ｍｕｌｔｉｍｅｄｉａ  Ｏｕｔｐｕｔ  Ｄｅｖｉｃｅ  Ｈａｖｉｎｇ  Ｅｍｂｅｄｄｅｄ  Ｅｎｃｒｙｐｔｉｏｎ  Ｆｕｎｃｔｉｏｎａｌｉｔｙ）」に開示されている。本開示では、暗号化形式でのコンテンツの出力が可能な埋め込み暗号化機能を有するマルチメディア出力装置が開示されている。このマルチメディア出力装置は、暗号化対象のコンテンツを受け取り、それを暗号化し、当該暗号化コンテンツの電子出力を生成する。マルチメディア出力装置はまた、暗号鍵、暗号化たコンテンツの電子出力の識別情報及び任意的に暗号化コンテンツの内容の説明などの暗号化に関する情報を提供する関連する紙ベースの出力を生成する。
【００６１】
［音源特定及び/または映像動き検出機能を備えたプリンタ］
さらに、プリンタ１００は、受信したメディアにおける音声の位置または動きの検出に基づき出力の生成が可能となるように、埋め込み音源特定モジュール６３０及び/または埋め込み映像動き検出モジュール６４０を備えるようにしてもよい。このようにして、プリンタ１００は、イベントを検出し、これらイベントに関する大量のデータのフィルタリングに供する。
【００６２】
一実施例では、プリンタ１００は、埋め込み音声キャプチャ音源特定ハードウェアを備える。他の実施例では、それに加えて、プリンタ１００は、映像キャプチャ動き検出ハードウェア及びソフトウェアを備えてもよい。このように、プリンタ１００は、検出された音声及び/または映像イベントを概略する印刷文書及び電子出力を生成することができる。これらのイベントは定義可能であり、文書におけるそれらの表現はイベント発生前に構成可能である。その後、この情報はイベント発生前に文書を印刷することにより、プリンタ１００と通信可能となる。プリンタ１００は、受信した文書における以降のイベントを認識し、当該イベントの検出後の印刷のため文書をスケジューリングする。これは、例えば、知的財産の生成の検証、あるいは泥棒がオフィスに侵入した時刻の検出に役立つかもしれない。文書が印刷されれば、用紙は既存の紙ベースの作業フローに容易に含めることができる。
【００６３】
一実施例では、メディアデータは、既存のマイクロフォン構成から生成されたセパレートマルチチャンネルオーディオトラックを備えた映像データを含む。このように、本システムは、音源特定を最適化するよう構成することができる。その後、プリンタは、音源特定の結果とユーザの関心方向を示すユーザ入力に基づき、出力を生成することができる。例えば、ある位置で人々が話しているとき、その映像からクリップを選択することができる。その後、キーフレームとこれらクリップのバーコードを印刷出力に印刷することができる。
【００６４】
音源特定及び/または動き検出機能を有する多機能プリンタの様々な実施例は、本発明の実施例によるプリンタの可能な適用である。このようなプリンタの多数の実施例が、２００４年３月３０日に出願された同時係属中の米国特許出願第１０/８１３，９４６号「音声/映像特定を備えたプリンタ（Ｐｒｉｎｔｅｒ  ｗｉｔｈ  Ａｕｄｉｏ／Ｖｉｄｅｏ  Ｌｏｃａｌｉｚａｔｉｏｎ）」に開示されている。本開示では、マルチメディアデータの取扱性及び利用性を向上させるため、マルチメディアデータの受信、処理及び出力が可能なマルチメディア印刷装置が開示される。一実施例では、処理済データが、ビデオペーパーやデジタルアーカイブへのバーコードポインタを含む様々な形式によりマルチメディア配信を通じて出力される。他の実施例では、マルチメディア印刷装置が、マルチメディアデータを受信し、それを利用して、当該マルチメディアデータを生成する周辺装置に対してマルチメディア及び映像特定を実行する。また他の実施例では、マルチメディア印刷装置は、マルチメディアオブジェクトを既存の文書に挿入することにより、マルチメディアデータの取り込み及び処理を行うためのコマンドを実行する。
【００６５】
［メディアフォーマット変換機能を備えたプリンタ］
前述のように、プリンタ１００は、埋め込みメディアフォーマット変換モジュール６５０を備えてもよい。メディアフォーマット変換モジュール６５０は、プリンタ１００が受信したメディアデータを受信したフォーマットとは異なる様々なフォーマットに変換することを可能にする。メディアフォーマット変換モジュール６５０は、音声再生ソフトウェア、異なるタイプのメディア変換のための処理論理及びスピーカー出力のようなそれの機能を実行するための適切なハードウェア及びソフトウェアを備えてもよい。このように、プリンタ１００は、メディアデータをあるフォーマットタイプから他のフォーマットタイプに復号、暗号化及び/または変換することができる埋め込みフォーマッタを有するかもしれない。
【００６６】
一実施例では、プリンタ１００は、ＭＩＤＩファイルのようなデジタル音声ファイルを楽譜のような紙による表現に変換することができる。任意的に、プリンタ１００はまた、入力データをＭＰ３のような携帯電話などの他の装置における再生が可能な他の音声フォーマットに変換する。バーコードは、遠隔装置における楽譜に対応する音声、あるいはプリンタにおける発話者を通じた音声をユーザに再生させるため、メディアの印刷紙媒体の表示に加えることができる。
【００６７】
音声フォーマット変換機能を有する多機能プリンタの様々な実施例は、本発明の実施例によるプリンタの可能な適用である。このようなプリンタの多数の実施例が、２００４年３月３０日に出願された同時係属中の米国特許出願第１０/８１３，８４９号「音楽処理プリンタ（Ｍｕｓｉｃ  Ｐｒｏｃｅｓｓｉｎｇ  Ｐｒｉｎｔｅｒ）」に開示されている。本開示では、音楽及び音声ファイルを受信及び処理し、様々な電子及び紙ベースのフォーマットに出力する音声処理装置が開示されている。一実施例では、音声処理装置は、音楽あるいは音声ファイルに基づき楽譜を生成し、当該ファイルと既存のデータベースに格納されているメロディを照合する。一実施例では、音声処理装置とＰＣは処理負荷を共有する。他の実施例では、楽譜に特定される音楽セグメントが音声または音楽ファイルにマッピングされ、これにより、ユーザは以降において特定のセグメントにアクセスすることができるようになる。
［コンテンツベース処理機能を備えたプリンタ］
前述のように、プリンタ１００は、メディアコンテンツに応じたメディアデータのリアルタイムでの配信の受信及び処理が可能となるように、埋め込みコンテンツベース処理モジュール６６０を備えてもよい。一実施例では、プリンタ１００は、テレビ、衛星、ケーブル、ラジオなどの埋め込み受信機、あるいは他のタイプのメディア受信機を備える。プリンタ１００は、さらに、リアルタイムでのメディア入力の監視、メディアへの記録、メディアの印刷表示の生成、及びプリンタの画面上での音声または映像の再生が可能な処理論理を備えてもよい。これにより、プリンタ１００は、ラジオまたはテレビ放送コンテンツのリアルタイムでの監視と、これらのストリームにおいて検出されたイベントに応答した用紙の生成及びマルチメディアの格納を可能にする。
【００６８】
イベントの例として、例えば、気象予報警告または緊急警報などを示すトーン系列があげられるが、これらはまた、テレビ放送の字幕における特定のキーワード群の出現、映像ストリームにおける所与の画像（例えば、顔の画像）の出現、あるいは音声ストリームにおける銃声の出現などのユーザにより規定されたイベントを含むものであってもよい。イベント出現による用紙の即座の生成により、ユーザはボタンを押したり、手動による操作を行う必要なく、以降においてプリンタ１００からプリントアウトすることができる。
【００６９】
コンテンツベース処理機能を有する多機能プリンタの様々な実施例は、２００４年３月３０日に出願された同時係属中の米国特許出願第１０/８１３，８４６号「音声あるいは映像受信機、レコーダ及びリアルタイムコンテンツベース処理論理を備えたプリンタ（Ｐｒｉｎｔｅｒ  ｗｉｔｈ  Ａｕｄｉｏ  ｏｒ  Ｖｉｄｅｏ  Ｒｅｃｅｉｖｅｒ，Ｒｅｃｏｒｄｅｒ，ａｎｄ  Ｒｅａｌ−Ｔｉｍｅ  Ｃｏｎｔｅｎｔ−Ｂａｓｅｄ  Ｐｒｏｃｅｓｓｉｎｇ  Ｌｏｇｉｃ）」に開示されている。本開示では、メディアストリームからのイベントを監視し、検出されたイベントに応答してアクションをトリガするシステム及び方法が開示される。好ましくは、このアクションは、当該システムにより受信されたイベントに関する情報に基づくものである。システムは、イベントを記載するサマリのような検出されたイベントの特徴を反映する紙ベースの文書を生成することができる。システムはまた、検出されたイベントに応答して、ネットワークメッセージ（例えば、電子メールまたはページングコール）を生成することができる。他の実施例では、システムは、検出されたイベントに応答して、マルチメディアデータをメモリに格納する。システムはまた、検出されたイベントに基づき、プリンタに付属したスピーカーに音声を、映像表示システムに映像を生成することができる。
【００７０】
［音声/映像コンテンツ認識及び処理機能を備えたプリンタ］
前述のように、プリンタ１００は、メディアデータのコンテンツにおけるある特徴を認識し、この認識されたコンテンツに基づき当該データの処理が可能となるように、埋め込みＡ／Ｖコンテンツ認識モジュール６７０を備えてもよい。一実施例では、プリンタ１００は、電子ファイルからメディアデータを受け取り、それを利用してタイムベースメディアを印刷出力と電子出力に変換する。一実施例では、プリンタ１００は、音声及び/または映像コンテンツ認識及び処理ソフトウェア及び/またはハードウェアを備える。必要とされる埋め込みハードウェア及びソフトウェアのタイプは、所望のコンテンツ認識機能に依存する。埋め込みＡ／Ｖコンテンツ認識モジュール３７０が実行しうる機能タイプの例として、映像イベント検出、映像前景/背景区分化、顔検出、顔画像マッチング、顔認識、顔のリスト化、映像テキスト位置決定、映像光学文字認識（ＯＣＲ）、言語翻訳、フレーム分類、クリップ分類、画像ステッチ処理（ｓｔｉｔｃｈｉｎｇ）、音声再フォーマット処理、音声認識、音声イベント検出、音声波形マッチング、字幕配置、音声字幕配置、及び他の任意のメディアコンテンツ認識アルゴリズムがあげられる。プリンタ１００は、さらに、所望の印刷出力と電子出力を生成するため、ユーザインタフェース１１０を介してユーザとやりとりする処理論理を備える。
【００７１】
音声/映像コンテンツ認識及び処理機能を備えた多機能プリンタの様々な実施例は、本発明の実施例によるプリンタの可能な適用である。このようなプリンタの多数の実施例が、２００４年３月３０日に出願された同時係属中の米国特許出願第１０/８１３，９５０号「埋め込み音声/映像コンテンツ認識及び処理機能を備えた印刷システム（Ｐｒｉｎｔｉｎｇ  Ｓｓｙｓｔｅｍ  ｗｉｔｈ  Ｅｍｂｅｄｄｅｄ  Ａｕｄｉｏ／Ｖｉｄｅｏ  Ｃｏｎｔｅｎｔ  Ｒｅｃｏｇｎｉｔｉｏｎ  ａｎｄ  Ｐｒｏｃｅｓｓｉｎｇ）」に開示されている。本開示では、メディアコンテンツの認識及び処理を実行するための埋め込み機能を有する印刷システムが開示されている。メディアコンテンツに対して実行されたコンテンツの認識及び処理の結果に基づき、印刷システムは、紙ベースの表示あるいは他の印刷表示を生成することができる。印刷システムは、さらに、印刷表示と共にメディアコンテンツの閲覧及びそれへのアクセスに利用可能な対応するメディアコンテンツの電子表示を生成してもよい。印刷システムはまた、選択されたメディアコンテンツを印刷する印刷機能を有するメディア再生アプリケーションを有するようにしてもよい。
【００７２】
次に、本発明の第２実施例によるネットワーク印刷システムが説明される。
【００７３】
本発明の様々な実施例によるネットワーク印刷システムは、有益かつ高度なフォーマットによるタイムベースメディアの印刷を可能にする。このタイムベースメディアの表示を生成するため、本発明による印刷システムは、受信したメディアを表現する印刷出力と関連する電子出力を生成する。プリンタの所望の用途に依存して、本発明による印刷システムは、メディアの受信、印刷出力の印刷及び電子出力の生成のための任意数の装置を備える。従って、ここでは多くの実施例による印刷システムが説明され、そのような印刷システムが実質的に無限の組み合わせにより既存の要求を解決するために、どのように構成可能であるかが示される。
【００７４】
［システム構成］
図７は、本発明の一実施例によるネットワーク印刷システムの概略図である。ただし、図７中、先に説明した部分には同一の参照番号を付し、以下において、それらに関する説明は適宜省略される。
【００７５】
図７を参照するに、本実施例によるネットワーク印刷システムは、第１実施例によるプリンタ１００と、ネットワーク２０５と、ネットワーク装置１８０から構成される。プリンタ１００は、第１実施例と同様の構成を備えると共に、さらに、メディア処理システム１２５と機能的に接続されたネットワークインタフェース２００を備える。ネットワークインタフェース２００は、プリンタ１００がネットワーク装置１８０や外部サービス１９０などの他の電子装置と通信することを可能にする。一実施例では、ネットワーク装置１８０は、パーソナルコンピュータのようなコンピュータシステムである。ネットワーク装置１８０は、メディアデータに対して任意の所望の処理を実行するための処理能力を備えることが効果的である。このように、ネットワーク装置１８０は、タイムベースメディアから印刷出力と電子出力とを生成するのに要する処理負荷の一部をプリンタ１００の代わりに行うことができる。一実施例では、ネットワーク装置１８０は、メディアへの処理及び/または印刷及び電子出力のフォーマットや宛先に関し、ユーザによる選択が可能となるようユーザインタフェース（ＵＩ）１１０を備える。他の実施例では、ユーザインタフェース１１０は、他の装置あるいはプリンタ１００自体に設置されてもよい。ユーザインタフェース１１０は、表示システム、付属のディスプレイと通信するためのソフトウェア、あるいは同時係属中の２００４年３月３０日に出願された米国特許出願第１０/８１４，７００号「プリンタユーザインタフェース（Ｐｒｉｎｔｅｒ  Ｕｓｅｒ  Ｉｎｔｅｒｆａｃｅ）」に開示されている任意の実施例を備えてもよい。米国特許出願第１０/８１４，５００号「ネットワークプリンタのためのユーザインタフェース」では、タイムベースメディアの印刷が可能なユーザインタフェースを介し操作される多機能プリンタが開示されている。ユーザインタフェースには、コマンドの入力を受け付け、ユーザに情報を提供するためのタッチ画面が備えられる。タイムベースメディアは、ユーザインタフェースを介し指定されたメディアソースからプリンタに受信される。ユーザは、プリンタがデータに施す１以上のマルチメディア処理機能を指定する。プリンタは、指定された機能を実行し、ユーザインタフェースのディスプレイを介しユーザに出力をプレビューする。ユーザがプレビューされた出力の印刷を決定すると、ユーザは１以上の出力装置を指定する。ここで、プリンタは、従来の印刷出力だけでなく指定された電子出力をも印刷/生成することができる。
【００７６】
他の実施例では、プリンタ１００は、印刷対象のメディアに対して処理タスクの一部を実行するハードウェア及び/またはソフトウェアを備えた外部サービス１９０に接続される。典型的な実施例では、遠隔サービスプロバイダが外部サービス１９０を運営する。そのような実施例では、ネットワーク装置１８０はローカルエリアネットワークを介しプリンタ１００と通信可能であるのに対して、外部サービス１９０はワイドエリアネットワークやインターネットを介しプリンタ１００と通信するようにしてもよい。印刷システムは、サービスプロバイダにより運営される外部サービス１９０とメディア処理タスクを共有することにより、サービスプロバイダの制御下にあるタスクを実行することができる。このように、メディア処理に対して、サービスを利用するのにユーザの支払いを要する有料サービスの設定が可能となる。
【００７７】
図８は、本発明の第２実施例によるネットワーク印刷システムにおけるプリンタ１００のメディア処理システム１２５に関する概略図である。ただし、図８中、先に説明した部分には同一の参照番号を付し、以下において、それらに関する説明は適宜省略される。
【００７８】
図８を参照するに、メディア処理システム１２５は、プリンタ１００のメディアデータの処理の少なくとも一部を実行するよう構成されているが、メディア処理システム１２５は計算処理の少なくとも一部を共有することができるように、外部サービス１９０に接続されることが好ましい。プリンタ１００は、メディア処理機能の少なくとも一部を実行することが可能な外部のネットワーク装置１８０及び/または外部サービス１９０と通信できるようネットワークインタフェース２００を備える。外部サービス１９０は、計算システムまたは専用メディア処理ハードウェア装置であってもよい。このように、プリンタ１００は、プリンタ１００の機能の実現に必要な処理の少なくとも一部からタイムベースメディアのソースを解放するが、プリンタ１００は処理全体を担う必要はない。プリンタ１００は、特に共有されたプリンタにとっては重要な過剰な処理負荷から生じる処理の低速化を避けることができる。
【００７９】
上述のように、適切な印刷システムに関するいくつかの実施例が説明されてきたが、プリンタ及びそれの文書生成手段の説明は本発明を限定することを意図するものではない。用途に応じて、本発明によるプリンタは、周知の典型的なオフィス用あるいは家庭用プリンタ以外の様々な形態をとりうる。このため、プリンタの定義には、表面上に画像、テキストあるいは他の任意のマークを形成することが可能な任意の装置が含められるということは理解されるべきである。上記では用紙上への印刷が説明されたが、本発明の様々な実施例によると、プリンタは、画像、テキストまたは他のマークを、ＯＨＰシート、フィルム、スライド、キャンバス、ガラス、ステッカー、あるいはそのようなマークを受容する他の任意の媒体のような様々な物理的媒体への形成が可能であると理解されるべきである。
【００８０】
さらに、メディア及びメディアデータの上記説明及び利用は、本発明を限定することを意図するものではない。メディアには、音声及び/または映像ファイルのすべてあるいは一部、メディアコンテンツを有するデータストリームなどの任意のタイプのメディアあるいはマルチメディアコンテンツを表現するのに利用される任意の有形または無形の情報が含まれる。以下に列挙されるものにより包括されるものではないが、メディアには、音声（音楽、ラジオ放送、録音、宣伝などを含む）、映像（映画、ビデオクリップ、テレビ放送、宣伝などを含む）、ソフトウェア（テレビゲーム、マルチメディアプログラム、グラフィックスソフトウェアなどを含む）、画像及びそれらの組み合わせが含まれる。さらに、メディアとメディアデータは、さらに、メディアあるいはメディアデータのすべてまたは一部を構成するものを含み、メディアデータは実際のイベントを説明するデータを含む。メディアデータは、映像の場合にはＭＰＥＧ、音声の場合にはＭＰ３などの任意の符号化技術を利用して符号化することができる。また、メディアデータは、ＤＥＳ、トリプルＤＥＳまたは他の任意の適切な暗号化技術などの暗号化アルゴリズムを利用して、コンテンツ保護のため暗号化されてもよい。
【００８１】
さらに、ここで説明されたステップ、動作または処理の何れも、１以上のソフトウェアモジュールまたはハードウェアモジュールにより、あるいはそれらを他の装置と組み合わせて実行または実現することができる。さらに、説明されたプリンタのハードウェア要素に関する部分はソフトウェアにより実現されてもよく、逆にソフトウェア要素に関する部分が専用回路のようなハードウェアにより実現されてもよい。一実施例では、上述のステップ、動作あるいは処理を実行するためのコンピュータプロセッサにより実行可能なコンピュータプログラムを有するコンピュータ読み出し可能な媒体から構成されるコンピュータプログラムプロダクツによりソフトウェアモジュールが実現されてもよい。
【００８２】
他の実施例では、プリンタ１００は、協同する複数のアプリケーションサーバを利用することもできる。プリンタ１００により送受信される任意のリクエストまたはメッセージは、ＩＥＥＥ１３９４やＵＳＢのようなローカルケーブルを利用したネットワークを介して、ＩＥＥＥ８０２．１１やＩＥＥＥ８０２．１５のような無線ネットワークを介して、あるいは上記ネットワークの任意の組み合わせにより送信することができる。
【００８３】
本発明の上述された実施例は説明のため与えられたものであり、本発明を開示された形態に限定するものではない。上記教示により、当業者は多くの変更及び変形が可能であろう。従って、本発明の範囲は、上記実施例に関する説明に限定されるものでなく、添付されるクレームにより規定されるものである。
【図面の簡単な説明】
【００８４】
【図１】図１は、本発明の一実施例によるプリンタの概略図である。
【図２】図２は、本発明の一実施例によるプリンタによるタイムベースメディアデータの表示生成のための一般化されたプロセスの概要を示す。
【図３】図３は、本発明の一実施例によるプリンタの様々なメディアソース入力サブシステムを概略図である。
【図４】図４は、本発明の一実施例によるプリンタの印刷出力システムの概略図である。
【図５】図５は、本発明の一実施例によるプリンタの電子出力システムの概略図である。
【図６】図６は、本発明の一実施例によるプリンタのメディア処理システムの一例となる構成を示す。
【図７】図７は、本発明の一実施例によるネットワーク印刷システムの概略図である。
【図８】図８は、本発明の一実施例によるネットワーク印刷システムにおけるプリンタのメディア処理システムに関する概略図である。
【符号の説明】
【００８５】
１００  プリンタ
１０５  メディアソースインタフェース
１１０  ユーザインタフェース
１１５  印刷出力システム
１２０  電子出力システム
１２５  メディア処理システム
１３０  メモリ
１３５  プロセッサ
１４０  埋め込み機能モジュール
１５０  タイムベースメディア
１６０  印刷出力
１７０  電子出力
１８０  ネットワーク装置
１９０  外部サービス
２００  ネットワークインタフェース
２０５  ネットワーク
３０５  通信インタフェース
３１０  無線インタフェース
３１５  着脱可能なメディア記憶装置読取器
３３０  ビデオレコーダ
３３５  アナログデジタル変換器
３４０  オーディオレコーダ
３４５  メディア配信受信機
３５０  イベントセンサ
３５５  ビデオキャプチャハードウェア
３６０  変換モジュール
３６５  超音波ペンキャプチャ装置
４０５  メディア供給ハンドラ
４１０  供給トレイ
４１５  フォーマッタ
４２０  印刷エンジン
４２５  定着装置
４３０  メディア出力ハンドラ
４３５  ソータ
４４０  ステープラ
４４５、５１５  出力トレイ
５０５  メディアライタ
５１０  電子メディア処理機構
５２０  バンドライア
５２５  プレーヤー
５３０  スピーカーシステム
５３５  映像ディスプレイ
５４０  通信インタフェース
５４５  ウェブページディスプレイ
６１０  マルチメディアサーバモジュール
６２０  暗号化モジュール
６３０  音源特定モジュール
６４０  映像動き検出モジュール
６５０  メディアフォーマット変換モジュール
６６０  コンテンツベース処理モジュール
６７０  Ａ／Ｖコンテンツ認識モジュール
【図１】
2005104155.tif 000003
【図２】
2005104155.tif 000004
【図３】
2005104155.tif 000005
【図４】
2005104155.tif 000006
【図５】
2005104155.tif 000007
【図６】
2005104155.tif 000008
【図７】
2005104155.tif 000009
【図８】
2005104155.tif 000010